(57)【特許請求の範囲】
【請求項１】
容器と、前記容器内に収納される電極体と、電極端子と、前記電極端子と前記電極体とを電気的に接続する集電部材と、前記容器と前記電極端子とを絶縁する絶縁部材とを備える蓄電素子であって、
前記電極端子は、前記容器を貫通し、かつ、前記集電部材に接続される柱状の接続部と、前記接続部の端部であって前記容器の外側に配置される板状の端子本体とを有し、
前記絶縁部材は、前記容器と、前記端子本体との間に配置される板状部材を有し、
前記蓄電素子は、さらに、前記端子本体および前記容器の少なくとも一方と、前記絶縁部材との間に設けられるシール剤を備え、
前記板状部材は、前記接続部を囲う環状に設けられ、かつ、前記板状部材に交差する方向に突出している凸部を有し、
前記凸部は、その先端に液体を保持可能な保持部を有する
蓄電素子。
【請求項２】
前記保持部は、前記凸部の先端において、前記凸部の環状の方向に沿って形成される溝部である
請求項１に記載の蓄電素子。
【請求項３】
前記保持部は、前記凸部の環状の方向に沿って連続して形成される複数の突起部である
請求項１または２に記載の蓄電素子。
【請求項４】
前記端子本体および前記容器の少なくとも一方は、前記端子本体の第一位置における前記端子本体と前記容器との第一間隔が、前記第一位置よりも前記接続部に近い第二位置における前記端子本体と前記容器との第二間隔よりも小さくなるように形成されている
請求項１から３のいずれか１項に記載の蓄電素子。
【請求項５】
前記端子本体および前記容器の少なくとも一方は、前記第二位置から前記第一位置に向かうにしたがって、前記端子本体と前記容器との間隔が小さくなるように形成されている
請求項４に記載の蓄電素子。
【請求項６】
前記端子本体および前記容器の少なくとも一方は、前記第一位置と前記第二位置との間において、前記端子本体の前記容器側の面が、前記容器の前記端子本体側の面に対して直線状に傾斜している
請求項５に記載の蓄電素子。
【請求項７】
前記端子本体および前記容器の少なくとも一方は、前記第一位置を含む第一領域における前記第一間隔と、前記第二位置を含む第二領域における前記第二間隔とが段階的に異なる
請求項４に記載の蓄電素子。
【請求項８】
前記容器は、前記接続部と対向する部分において、前記容器の第三位置における前記接続部と前記容器との第三間隔が、前記第三位置よりも前記容器の外方側にある第四位置における前記接続部と前記容器との第四間隔よりも小さくなるように形成されている
請求項１から７のいずれか１項に記載の蓄電素子。
【請求項９】
前記容器は、前記第四位置から前記第三位置に向かうにしたがって、前記接続部と前記容器との間隔が小さくなるように形成されている
請求項８に記載の蓄電素子。
【請求項１０】
前記容器は、前記第三位置と前記第四位置との間において、前記容器の前記接続部に対向している面が、前記接続部の表面に対して直線状に傾斜している
請求項９に記載の蓄電素子。
【請求項１１】
前記電極端子は、前記絶縁部材と前記容器とを圧着することにより、前記容器の貫通孔が形成される部分と前記端子本体との間を前記絶縁部材で密閉する
請求項１から１０のいずれか１項に記載の蓄電素子。
【発明の詳細な説明】
【技術分野】
【０００１】
本発明は、二次電池その他の電池などの蓄電素子に関する。
【背景技術】
【０００２】
二次電池は、一次電池の置きかえ用途はもとより、携帯電話、ＩＴ機器などの電子機器の電源として広く普及している。とりわけ、リチウムイオン電池に代表される非水電解質二次電池は、高エネルギー密度であることから、電気自動車などの産業用大型電気機器への応用も進められている。
【０００３】
従来、非水電解二次電池には、容器内部に配置される電極体で生成された電力を取り出すために、電極体の正極および負極に電気的に接続され、容器内部に配置される集電部材と、容器外部の電極端子とを接続するための接続部がある。接続部は、電極端子に一体成形されており、容器内部の集電部材と、容器外部の電極端子とを接続するために、容器の蓋部を貫通している。このため、蓋部には、接続部が貫通するための貫通孔が設けられる。
【０００４】
容器は、金属で構成することが多く、接続部が絶縁なしに容器を貫通すれば、容器によって短絡されてしまうことになるため、容器の貫通孔が形成される部分と、電極端子、接続部、および集電部材とを絶縁する必要がある。また、容器には、電極体とともに電解液が収容されており、電解液が貫通孔から容器外部に漏れることを防ぐ必要がある。
【０００５】
従来の蓄電素子では、容器と、電極端子、接続部、および集電部材とを絶縁し、かつ、容器の貫通孔から電解液が漏れることを防ぐために、容器の貫通孔が形成される部分において容器の外側および内側に渡って絶縁封止材が設けられる。絶縁封止材が容器の貫通孔が形成されている部分を容器の内側および外側にかけて覆った状態で、容器外部の電極端子および容器内部の集電部材が接続部により圧着されることにより、電極端子、接続部、および集電部材と容器との間の絶縁とシールとを両立させている。
【０００６】
このような構成の蓄電素子において、特許文献１では、電極端子に、接続部を囲うような環状の突起部が形成されている。特許文献１では、環状の突起部を電極端子に形成することにより、シール性の向上を図っている。また、特許文献２では、シール性を向上させるために絶縁部材の圧着される箇所に凸部を設ける構成の電池が開示されている。
【先行技術文献】
【特許文献】
【０００７】
【特許文献１】特開２００８−２５１２１３号公報
【発明の概要】
【発明が解決しようとする課題】
【０００８】
しかしながら、上記で挙げた技術では、シール性を十分に向上させることができない。
【０００９】
そこで、本発明は、このような状況に鑑みてなされたものであり、蓄電素子の電極端子付近のシール性を向上させることができる蓄電素子を提供することを目的とする。
【課題を解決するための手段】
【００１０】
上記目的を達成するために、容器と、前記容器内に収納される電極体と、電極端子と、前記電極端子と前記電極体とを電気的に接続する集電部材と、前記容器と前記電極端子とを絶縁する絶縁部材とを備える蓄電素子であって、前記電極端子は、前記容器を貫通し、かつ、前記集電部材に接続される柱状の接続部と、前記接続部の端部であって前記容器の外側に配置される板状の端子本体とを有し、前記絶縁部材は、前記容器と、前記端子本体との間に配置される板状部材を有し、前記蓄電素子は、さらに、前記端子本体および前記容器の少なくとも一方と、前記絶縁部材との間に設けられるシール剤を備え、前記板状部材は、前記接続部を囲う環状に設けられ、かつ、前記板状部材に交差する方向に突出している凸部を有し、前記凸部は、その先端に液体を保持可能な保持部を有する。
【００１１】
これによれば、絶縁部材の板状部材に、接続部を囲う環状に設けられ、かつ、板状部材に交差する方向に突出する凸部が形成されており、当該凸部の先端に液体を保持可能な保持部が形成されている。このため、絶縁部材に液体のシール剤を塗布したときに、凸部の先端からシール剤が流れてしまうことを防ぐことができる。これにより、凸部の先端に十分な量のシール剤を保持することができ、電極端子周辺のシール性を向上させることができる。
【００１２】
また、前記保持部は、前記凸部の先端において、前記凸部の環状の方向に沿って形成される溝部であってもよい。
【００１３】
これによれば、凸部の先端において溝部が形成されるため、絶縁部材に液体のシール剤を塗布したときに、溝部に液体のシール剤を保持させることができる。このため、凸部の先端からシール剤が流れてしまうことを防ぐことができ、電極端子周辺のシール性を向上させることができる。
【００１４】
また、前記保持部は、前記凸部の環状の方向に沿って連続して形成される複数の突起部であってもよい。
【００１５】
これによれば、凸部の先端において複数の突起部が形成されるため、絶縁部材に液体のシール剤を塗布したときに、複数の突起部の間に液体のシール剤を保持させることができる。このため、凸部の先端からシール剤が流れてしまうことを防ぐことができ、電極端子周辺のシール性を向上させることができる。
【００１６】
また、前記端子本体および前記容器の少なくとも一方は、前記端子本体の第一位置における前記端子本体と前記容器との第一間隔が、前記第一位置よりも前記接続部に近い第二位置における前記端子本体と前記容器との第二間隔よりも小さくなるように形成されていてもよい。
【００１７】
これによれば、端子本体および容器の少なくとも一方の形状は、第一位置における端子本体と容器との第一間隔が、第一位置よりも接続部に近い第二位置における端子本体と容器との第二間隔よりも小さい。絶縁部材は、端子本体と容器とにより挟み込まれており、両者から押圧力を受ける。つまり、絶縁部材が配置される空間は、当該押圧力の方向と交差する方向において、電極端子の接続部から遠い方の位置である第一位置における端子本体と容器との間隔が狭くなっている。このため、高温環境下において絶縁部材が熱膨張したとしても、絶縁部材が押圧力の方向と交差する方向に向かって膨張することを抑制できる。これにより、絶縁部材が熱膨張しても所定の範囲内に絶縁部材を留めておくことができるため、電極端子付近のシール性を十分に維持することができる。
【００１８】
また、前記端子本体および前記容器の少なくとも一方は、前記第二位置から前記第一位置に向かうにしたがって、前記端子本体と前記容器との間隔が小さくなるように形成されていてもよい。
【００１９】
これによれば、端子本体および容器の少なくとも一方は、第一位置と第二位置との間において接続部から遠ざかるにしたがって、端子本体と容器との間隔が小さくなるように形成されている。このため、絶縁部材の熱膨張時に、絶縁部材が押圧力の方向に交差する方向に対して膨張するときに、第一位置と第二位置との間における絶縁部材に対して加わる力を分散させることができる。なお、この力は、具体的には、絶縁部材が接続部よりも遠い方向に向かって膨張することを防ぐ力であって、接続部に近い方向に向けた力である。これにより、端子本体と容器との間の間隔が急激に小さくなる構造のものと比較すると、端子本体、容器、または絶縁部材の特定の部位に力が大きな加えられることを防ぐことができ、端子本体、容器、または絶縁部材が破損することを防ぐことができる。
【００２０】
また、前記端子本体および前記容器の少なくとも一方は、前記第一位置と前記第二位置との間において、前記端子本体の前記容器側の面が、前記容器の前記端子本体側の面に対して直線状に傾斜していてもよい。
【００２１】
これによれば、端子本体の容器側の面が、容器の端子本体側の面に対して直線状に傾斜している。このため、絶縁部材の熱膨張時に、絶縁部材が押圧力の方向に交差する方向に対して膨張するときに、第一位置と第二位置との間の絶縁部材に対して、接続部に近い方向に向けた力を少なくとも第一位置と第二位置との間において均等にさせることができる。このように、第一位置と第二位置との間においては、端子本体、容器、または絶縁部材に加わる力を均等にできるため、それぞれの位置において加わる力を最低限とすることができる。このため、端子本体、容器、または絶縁部材が破損することをより効果的に防ぐことができる。
【００２２】
また、前記端子本体および前記容器の少なくとも一方は、前記第一位置を含む第一領域における前記第一間隔と、前記第二位置を含む第二領域における前記第二間隔とが段階的に異なってもよい。
【００２３】
これによれば、端子本体および容器の少なくとも一方の形状が、第一領域における第一間隔と第二領域における第二間隔とが段階的に異なるように形成される。このため、端子本体および容器の少なくとも一方において、第一間隔が狭くなるような形状を容易に製造することができる。
【００２４】
また、前記容器は、前記接続部と対向する部分において、前記容器の第三位置における前記接続部と前記容器との第三間隔が、前記第三位置よりも前記容器の外方側にある第四位置における前記接続部と前記容器との第四間隔よりも小さくなるように形成されていてもよい。
【００２５】
これによれば、容器の形状は、第三位置における接続部と容器との第三間隔が、第三位置よりも容器の外方側にある第四位置における接続部と容器との第四間隔よりも小さい。絶縁部材は、接続部と容器とにより挟み込まれており、熱膨張したときに絶縁部材は全ての方向に膨張しようとする。このとき、容器の内方側の位置である第三位置での第三間隔が第四間隔よりも狭いため、絶縁部材が熱膨張したとしても、絶縁部材が容器の内方側に膨張することを抑制できる。これにより、絶縁部材が熱膨張したときに、接続部の軸方向においても所定の範囲内に絶縁部材を留めておくことができるため、電極端子付近のシール性を十分に維持することができる。
【００２６】
また、前記容器は、前記第四位置から前記第三位置に向かうにしたがって、前記接続部と前記容器との間隔が小さくなるように形成されていてもよい。
【００２７】
これによれば、容器は、第三位置と第四位置との間において端子本体から遠ざかるにしたがって、接続部と容器との間隔が小さくなるように形成されている。このため、絶縁部材の熱膨張時に、絶縁部材が押圧力の方向に交差する方向に対して膨張するときに、第三位置と第四位置との間における絶縁部材に対して加わる力を分散させることができる。なお、この力は、具体的には、絶縁部材が容器の内方に向かって膨張することを防ぐ力であって、端子本体に近い方向に向けた力である。これにより、接続部と容器との間の間隔が急激に小さくなる構造のものと比較すると、端子本体、容器、または絶縁部材の特定の部位に力が大きな加えられることを防ぐことができ、端子本体、容器、または絶縁部材が破損することを防ぐことができる。
【００２８】
また、前記容器は、前記第三位置と前記第四位置との間において、前記容器の前記接続部に対向している面が、前記接続部の表面に対して直線状に傾斜していてもよい。
【００２９】
これによれば、容器の接続部側の面が、接続部の表面に対して直線状に傾斜している。このため、絶縁部材の熱膨張時に、絶縁部材が押圧力の方向に交差する方向に対して膨張するときに、第三位置と第四位置との間の絶縁部材に対して、接続部に近い方向に向けた力を少なくとも第三位置と第四位置との間において均等にさせることができる。このように、第三位置と第四位置との間においては、端子本体、容器、または絶縁部材に加わる力を均等にできるため、それぞれの位置において加わる力を最低限とすることができる。このため、端子本体、容器、または絶縁部材が破損することを防ぐことができる。
【００３０】
また、前記電極端子は、前記絶縁部材と前記容器とを圧着することにより、前記容器の貫通孔が形成される部分と前記端子本体との間を前記絶縁部材で密閉してもよい。
【００３１】
これによれば、絶縁部材および容器は電極端子により圧着されることにより、容器の貫通孔が形成される部分と端子本体との間が絶縁部材で密閉されている。このため、絶縁部材は、電極端子により端子本体と容器との間で常に押圧力が加えられた状態である。このような常に押圧力が加えられ、熱膨張したときに押圧力に交差する方向に膨張しやすいような状態の絶縁部材であっても、押圧力に交差する方向の先の空間が狭くなっているため、絶縁部材の当該方向への膨張を抑制することができる。
【発明の効果】
【００３２】
本発明に係る蓄電素子によれば、蓄電素子の電極端子付近のシール性を向上させることができる。
【図面の簡単な説明】
【００３３】
【図１】本発明の実施の形態１に係る蓄電素子の外観を示す斜視図である。
【図２】蓄電素子の模式的な構成を示す分解斜視図である。
【図３】図２の蓄電素子の分解斜視図のＩＩＩ−ＩＩＩ断面図のうちの電極端子周辺を拡大した拡大図である。
【図４】図３の領域Ａ１の部分を拡大した拡大図である。
【図５】図５の（ａ）は、図１の蓄電素子のＩＶ−ＩＶ断面図のうちの電極端子周辺を拡大した拡大図であり、図５の（ｂ）は、図５の（ａ）の領域Ａ２の部分を拡大した拡大図である。
【図６】実施の形態１の変形例に係る図３の領域Ａ１を拡大した拡大図である。
【図７】図７の（ａ）は、実施の形態２に係る蓄電素子の電極端子周辺の断面を拡大した拡大図であり、図７の（ｂ）は、図７の（ａ）の領域Ａ３の部分を拡大した拡大図である。
【発明を実施するための形態】
【００３４】
（本発明の基礎となった知見）
本発明者は、「背景技術」の欄において記載した、蓄電素子に関して以下の問題が生じることを見出した。
【００３５】
一般的な蓄電素子では、絶縁部材と電極端子または容器との間のシール性を向上させるために、絶縁部材と電極端子または容器とのいずれか一方にはシール剤が設けられているものが多い。このシール剤は、絶縁部材と電極端子または容器とのいずれか一方の表面に液体の状態で塗布されて、その後、液体のシール剤を構成する溶剤が気化することにより、固体の弾性体となる。つまり、シール剤を塗布するときには、シール剤は液体の状態である。このため、特許文献１または２のように、シール性の向上を目的とした凸部（突起部）を設けた蓄電素子の場合、シール剤を凸部に塗布したときに、シール剤の溶剤が気化する前に凸部の先端からシール剤が流れてしまう。これにより、凸部の先端に十分な量のシール剤を設けることが難しい。つまり、蓄電素子の電極端子付近のシール性を十分に向上させることができない。
【００３６】
以下、本発明の実施の形態について図面を参照しながら説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００３７】
（実施の形態１）
図１は、本発明の実施の形態１に係る蓄電素子の外観を示す斜視図である。図２は、蓄電素子の模式的な構成を示す分解斜視図である。
【００３８】
図１に示すように、本実施の形態１の蓄電素子１００は、容器１１０と、容器１１０内に収容される電極体１７０と、電極端子１３０と、電極端子１３０と電極体１７０とを電気的に接続する集電部材１６０と、容器１１０と電極端子１３０とを絶縁する外部絶縁封止材１２０と、容器１１０と集電部材１６０とを絶縁する内部絶縁封止材１５０とを備える。
【００３９】
容器１１０は、蓋部１１１と容器本体１１２とから構成される。蓋部１１１は、Ｙ軸方向（後述参照）に長い長尺板状の部材である。容器本体１１２は、矩形筒状の部材の一端に開口部１１４を有し、他端に底を有する部材である。なお、本実施の形態１では、容器本体１１２と蓋部１１１との並び方向を上下方向（図１ではＺ軸方向）とし、正極端子と負極端子との並び方向を左右方向（図１ではＹ軸方向）とし、上下方向および左右方向に垂直な方向を前後方向（図１ではＸ軸方向）と定義する。
【００４０】
蓋部１１１は、長手方向の両端部に、電極端子１３０に貫通される貫通孔１１３が形成されている。なお、図１においては、正極側の貫通孔１１３のみを示し、負極側の貫通孔は後述する絶縁封止材の陰に隠れるため図示されない。
【００４１】
電極体１７０は、帯状の電極である正極と負極との間にセパレータが挟み込まれるように積層しつつ全体が長円筒形に捲回されて形成される。電極体１７０は、捲回軸方向がＹ軸方向に一致し、かつ、断面の長円形状の長軸がＺ軸方向に一致するような向きで容器１１０内に収納される。正極および負極は、捲回軸方向に互いに位置をずらして、捲回軸を中心に長円筒形に捲回されている。電極体１７０は、その両端において、正極および負極のそれぞれが所定の幅でセパレータから電極体１７０の捲回軸方向（Ｙ軸方向）外側に向けて突出している突出部１７１、１７２を有する。つまり、電極体１７０は、捲回軸方向の一端において正極がセパレータから突出している正極側の突出部１７１と、他端において負極がセパレータから突出している負極側の突出部１７２とを有する。更に、正極側の突出部１７１および負極側の突出部１７２は、活物質が形成されておらず、基材である金属箔が露出している。つまり、正極側の突出部１７１は、正極活物質層が形成されていない正極基材であるアルミニウム箔が露出しており、負極側の突出部１７２は、負極活物質層が形成されていない負極基材である銅箔が露出している。正極側の突出部１７１および負極側の突出部１７２には、正極側の集電部材１６０および負極側の集電部材１６４がそれぞれ電気的に接続される。
【００４２】
集電部材１６０の上側の端部は、電極体１７０の上側の表面と平行（つまり、Ｘ−Ｙ平面に平行）な板状の構成（後述する板部１６１）を有し、当該板状の構成には貫通孔１６２が形成されている。また、集電部材１６０は、電極体１７０の捲回軸方向の一端である正極側の突出部１７１において超音波溶接等により接続、固定される構成（後述する腕部１６３）を有する。なお、負極側の集電部材１６４も同様の構成を有し、銅または銅合金で形成される。正極側の集電部材１６０および負極側の集電部材１６４は、同じ構成であるため、以下では、正極側の集電部材１６０のみについて説明し、負極側の集電部材１６４の説明は省略する。
【００４３】
内部絶縁封止材１５０は、蓋部１１１と集電部材１６０との間に配置されることにより、容器１１０と集電部材１６０とを絶縁する絶縁部材である。つまり、内部絶縁封止材１５０は、容器１１０の内部に配置されて、集電部材１６０を介して電気的に接続されている電極体１７０から容器１１０を絶縁するための絶縁部材である。また、内部絶縁封止材１５０は、容器１１０の蓋部１１１に形成される貫通孔１１３に対して電極端子１３０および外部絶縁封止材１２０とともに圧着されることにより、当該貫通孔１１３を密閉するための封止材（パッキン）としても機能する。内部絶縁封止材１５０は、合成樹脂等により構成され、絶縁性および弾性を備える。内部絶縁封止材１５０には、蓋部１１１の貫通孔１１３および集電部材１６０の貫通孔１６２とともに、後述する電極端子１３０の接続部１３２によって貫通される貫通孔１５１が形成されている。
【００４４】
外部絶縁封止材１２０は、電極端子１３０の端子本体１３１（後述参照）と蓋部１１１との間に配置されることにより、電極端子１３０と容器１１０とを絶縁する絶縁部材である。つまり、外部絶縁封止材１２０は、容器１１０の外部に配置されて、電極端子１３０および集電部材１６０を介して電気的に接続されている電極体１７０から容器１１０を絶縁するための絶縁部材である。また、外部絶縁封止材１２０は、端子本体１３１および容器１１０の蓋部１１１との間に渡って配置される部材であり、かつ、接続部１３２および容器１１０の蓋部１１１の貫通孔１１３が形成されている部分との間に渡って配置されている部材である。また、外部絶縁封止材１２０は、容器１１０の蓋部１１１に形成される貫通孔１１３に対して電極端子１３０および内部絶縁封止材１５０とともに圧着されることにより、当該貫通孔１１３を密閉するための封止材（パッキン）としても機能する。外部絶縁封止材１２０は、蓋部１１１の上側に配置され、貫通孔１２４が形成される板状部材１２１と、板状部材１２１の貫通孔１２４が形成される部分から連続して形成され、板状部材１２１の下方に延びる筒状の筒部１２３とを有する。つまり、外部絶縁封止材１２０は、筒部１２３と、筒部１２３の軸に交差する方向であって筒部１２３の外側の方向に向かって拡がる板状部材１２１とを有する。また、板状部材１２１は、電極端子１３０の接続部１３２を囲う環状に設けられ、かつ、板状部材１２１に交差する方向に突出している凸部１２５を有する。つまり、凸部１２５は、板状部材１２１に形成される貫通孔１２４の外側を囲う環状に設けられる。なお、本実施の形態１では、凸部１２５は、板状部材１２１のＺ軸方向の両側に形成される。
【００４５】
外部絶縁封止材１２０は、内部絶縁封止材１５０と同様の合成樹脂製の部材である。外部絶縁封止材１２０に形成される貫通孔１２４は、蓋部１１１に形成される貫通孔１１３、内部絶縁封止材１５０に形成される貫通孔１５１および集電部材１６０に形成される貫通孔１６２とともに、後述する電極端子１３０の接続部１３２によって貫通される。
【００４６】
また、外部絶縁封止材１２０の筒部１２３は、蓋部１１１と対向する側（つまり板状部材１２１の下側）に形成されており、貫通孔１２４と筒部１２３の内縁とは一致している。また、筒部１２３は、貫通孔１１３に対応した外形を有し、貫通孔１１３に嵌り込むようになっている。したがって、筒部１２３は、容器１１０の蓋部１１１に形成される貫通孔１１３と電極端子１３０の接続部１３２との間に挟み込まれる。つまり、外部絶縁封止材１２０は、電極端子１３０の端子本体１３１と容器１１０の蓋部１１１との間に挟み込まれ、かつ、電極端子１３０の接続部１３２と容器１１０の貫通孔１１３を形成する部分との間に挟み込まれることにより、電極端子１３０と容器１１０とを絶縁する。さらに、外部絶縁封止材１２０の板状部材１２１の上側には枠体１２２が形成されており、枠体１２２は板状部材１２１に形成される貫通孔１２４の外側に形成されている。
【００４７】
電極端子１３０は、容器１１０を貫通し、かつ、集電部材１６０に接続される柱状の接続部１３２と、接続部１３２の端部であって容器１１０の外側に配置される板状の端子本体１３１とを有する。なお、接続部１３２は、容器１１０の内方に向かって延びている。端子本体１３１は、その外縁の形状が枠体１２２の内縁の形状に対応した平面形状である。接続部１３２は、端子本体１３１と集電部材１６０とを電気的に接続するとともに、蓋部１１１と電極体１７０とを機械的に接合する役割を果たす。また、正極側に配置される電極端子１３０は、アルミニウムまたはアルミニウム合金から構成され、負極側に配置される電極端子は、銅または銅合金から構成される。
【００４８】
電極端子１３０は、具体的には、図示しない外部負荷（つまり、蓄電素子１００の電気エネルギーを消費する機器）の端子が端子本体１３１の表面に溶接固定されることにより、蓄電素子１００と外部負荷との電気的な接続を完成するための部材である。あるいは、電極端子１３０は、図示しない複数の蓄電素子１００を並べて配置した状態で、バスバーなどの導電部材により各電池の端子本体１３１が溶接固定されることにより、蓄電素子１００同士の電気的な接続を完成するための部材である。
【００４９】
なお、電極端子１３０は、端子本体１３１と接続部１３２とが鍛造、鋳造等によって同一の素材から構成されていてもよい。また、電極端子１３０は、端子本体１３１と接続部１３２とがそれぞれ独立しており、端子本体１３１と接続部１３２とを構成する２つの異種または同種材料の素材を一体成形することにより構成されていてもよい。
【００５０】
次に、図３〜５を参照して、本実施の形態１に係る蓄電素子の電極端子周辺の構成をさらに詳細に説明する。なお、図３は、図２の蓄電素子の分解斜視図のＩＩＩ−ＩＩＩ断面図のうちの電極端子周辺を拡大した拡大図である。図４は、図３の領域Ａ１の部分を拡大した拡大図である。図５の（ａ）は、図１の蓄電素子のＩＶ−ＩＶ断面図のうちの電極端子周辺を拡大した拡大図である。図５の（ｂ）は、図５の（ａ）の領域Ａ２の部分を拡大した拡大図である。
【００５１】
図３〜５に示すように、蓄電素子１００の電極端子１３０周辺の構成は、上から電極端子１３０、外部絶縁封止材１２０、蓋部１１１、内部絶縁封止材１５０、集電部材１６０の板部１６１の順に積層される。外部絶縁封止材１２０は、板状部材１２１と、蓋部１１１と、内部絶縁封止材１５０とが重なり、かつ、筒部１２３が蓋部１１１に形成される貫通孔１１３および内部絶縁封止材１５０に形成される貫通孔１５１に貫通した状態で配置される。筒部１２３の端面は、内部絶縁封止材１５０の下面と同一面上にあり内部絶縁封止材１５０の下面とともに集電部材１６０の板部１６１の上面に接している。そして、外部絶縁封止材１２０の筒部１２３の内周の形状と、集電部材１６０の貫通孔１６２とは、同じサイズ、かつ、同じ形状である。また、筒部１２３と貫通孔１６２とは電極端子１３０の接続部１３２に貫通されている。つまり、接続部１３２の外周と、筒部１２３の内周、および、貫通孔１６２が形成される部分とは、互いに接触した状態となる。
【００５２】
外部絶縁封止材１２０には、図３に示すように、板状部材１２１からＺ軸方向の両側に向けて突出する凸部１２５が形成されている。凸部１２５は、図４に示すように、その先端において、凸部１２５の環状の方向に沿って連続して形成される溝部１２５ａが設けられている。つまり、凸部１２５は、その先端に液体を保持可能な保持部としての溝部１２５ａを有する。また、外部絶縁封止材１２０の表面には、シール剤１８０が塗布されている。つまり、シール剤１８０は、端子本体１３１および容器１１０の蓋部１１１の少なくとも一方と、外部絶縁封止材１２０との間に設けられる。これにより、外部絶縁封止材１２０に液体のシール剤１８０を塗布したときに、凸部１２５の先端からシール剤１８０が流れてしまうことを防ぐことができる。凸部１２５に形成される溝部は、凸部１２５の環状の方向に沿って連続して形成されていなくてもよく、環状の方向に沿って断続的に形成されていてもよい。つまり、溝部は、凸部の先端において、凸部の環状の方向に沿って形成されていればよい。
【００５３】
なお、シール剤１８０は、外部絶縁封止材１２０の表面に液体の状態で塗布されて、その後、液体のシール剤１８０を構成する溶剤が気化することにより、固体の弾性体となる。なお、溝部１２５ａの大きさは、溝部１２５ａ内に保持できる液体の体積が、Ｚ軸方向から視た場合の凸部１２５の面積に設計上に必要なシール剤１８０の厚みを乗じた体積より大きくなることが好ましい。
【００５４】
そして、電極端子１３０の接続部１３２は、外部絶縁封止材１２０の筒部１２３および集電部材１６０に形成される貫通孔１６２を貫通した状態で、その先端がかしめられ、かしめ端１３３が形成される。つまり、かしめ端１３３は、電極端子１３０において、接続部１３２の端子本体１３１とは反対側の端部がかしめられることにより形成され、筒部１２３の内径、集電部材１６０の貫通孔１６２の径よりも外径が大きい。
【００５５】
かしめ端１３３の外径は各貫通孔１２４、１１３、１５１、１６２の径より大きいため、外部絶縁封止材１２０、蓋部１１１、内部絶縁封止材１５０および集電部材１６０は電極端子１３０の端子本体１３１とかしめ端１３３とにより挟まれることで互いに圧着され、一体的に固定される。これにより、電極端子１３０は、外部絶縁封止材１２０と容器１１０の蓋部１１１とを圧着することにより、容器１１０の貫通孔１１３が形成される部分と電極端子１３０との間を外部絶縁封止材１２０および内部絶縁封止材１５０で密閉する。このとき、図５の（ｂ）の破線で囲んだ部分に示すように、外部絶縁封止材１２０の板状部材１２１に形成された凸部１２５は、電極端子１３０および蓋部１１１により圧縮されるため、つぶれた状態となる。そして、凸部１２５は、電極端子１３０および蓋部１１１によりつぶされても、反発して突出している方向に戻ろうとする力（図５（ｂ）の白抜き矢印参照）が働く。これにより、外部絶縁封止材１２０は、凸部１２５の部分において特に、電極端子１３０の端子本体１３１と容器１１０の蓋部１１１とに対して十分に密着することになる。また、電極端子１３０は、接続部１３２およびかしめ端１３３が集電部材１６０により接しているため、蓋部１１１を貫通した状態で集電部材１６０と電気的に接続される。なお、接続部１３２の側面は外部絶縁封止材１２０の筒部１２３によって覆われているため、蓋部１１１と接続部１３２との間は絶縁状態が確保されている。
【００５６】
（特徴）
本実施の形態１に係る蓄電素子１００によれば、外部絶縁封止材１２０の板状部材１２１に、接続部１３２を囲う環状に設けられ、かつ、板状部材１２１に交差する方向に突出する凸部１２５が形成されており、当該凸部１２５の先端に液体を保持可能な保持部としての溝部１２５ａが形成されている。このため、外部絶縁封止材１２０に液体のシール剤１８０を塗布したときに、凸部１２５の先端からシール剤１８０が流れてしまうことを防ぐことができる。これにより、凸部１２５の先端に十分な量のシール剤１８０を保持することができ、電極端子１３０周辺のシール性を向上させることができる。
【００５７】
また、本実施の形態１に係る蓄電素子１００によれば、凸部１２５の先端において溝部１２５ａが形成されるため、外部絶縁封止材１２０に液体のシール剤１８０を塗布したときに、溝部１２５ａに液体のシール剤１８０を保持させることができる。このため、凸部１２５の先端からシール剤１８０が流れてしまうことを防ぐことができ、電極端子１３０周辺のシール性を向上させることができる。
【００５８】
（変形例）
上記実施の形態１に係る蓄電素子１００によれば、凸部１２５の先端に保持部として溝部１２５ａを形成しているが、保持部は溝部１２５ａに限らない。保持部は、例えば、図６に示す外部絶縁封止材２２０のように、板状部材２２１に形成される凸部２２５の先端に、さらに、凸部２２５の環状の方向に沿って連続して形成される複数の突起部２２５ａとしてもよい。なお、複数の突起部２２５ａの大きさ（高さ）は、複数の突起部２２５ａの間において液体が保持される体積が、Ｚ軸方向から視た場合の凸部２２５の面積に設計上に必要なシール剤１８０の厚みを乗じた体積より大きくなることが好ましい。また、図６では、複数の突起部２２５ａは、４つであるが、複数であれば液体を保持できるため４つに限るものではない。なお、図６は、実施の形態１の変形例に係る図３の領域Ａ１を拡大した拡大図である。
【００５９】
これによれば、凸部２２５の先端において複数の突起部２２５ａが形成されるため、外部絶縁封止材１２０に液体のシール剤１８０を塗布したときに、複数の突起部２２５ａの間に液体のシール剤１８０を保持させることができる。このため凸部２２５の先端からシール剤１８０が流れてしまうことを防ぐことができ、電極端子１３０周辺のシール性を向上させることができる。また、保持部は、凸部の先端に平面を形成し、当該平面を保持部としてもよい。
【００６０】
（実施の形態２）
図７の（ａ）は、実施の形態２に係る蓄電素子の電極端子周辺の断面を拡大した拡大図である。図７の（ｂ）は、図７の（ａ）の領域Ａ３の部分を拡大した拡大図である。
【００６１】
なお、実施の形態２に係る蓄電素子３００の構成要素のうちで、実施の形態１に係る蓄電素子１００の構成要素と異なるものは、電極端子３３０、外部絶縁封止材３２０、および容器３１０の蓋部３１１の形状のみである。このため、実施の形態１に係る蓄電素子１００と同じ構成要素には、同じ符号を付し、詳細な説明は省略する。
【００６２】
次に、各部の個別の構成を説明する。
【００６３】
図７に示すように、電極端子３３０の端子本体３３１は、第一間隔ｄ１が、第二間隔ｄ２よりも小さくなるように形成されている。ここで、第一間隔ｄ１が、第二間隔ｄ２の１／２よりも小さくなるように形成されていることが好ましい。なお、第一間隔ｄ１は、端子本体３３１の第一位置Ｐ１における端子本体３３１と容器３１０の蓋部３１１との間隔である。また、第二間隔ｄ２は、第一位置Ｐ１よりも接続部３３２に近い第二位置Ｐ２における端子本体３３１と容器３１０の蓋部３１１との間隔である。
【００６４】
なお、本実施の形態２において、第一位置Ｐ１は、端子本体３３１上の位置であって、接続部３３２から最も遠い位置である。また、本実施の形態２において、第二位置Ｐ２は、端子本体３３１上の位置であって、接続部３３２に最も近い位置である。なお、第一位置Ｐ１と第二位置Ｐ２とは、それぞれ、上記のように接続部３３２から最遠の位置、最近の位置に限らずに、第一位置が第二位置よりも接続部１３２から遠い位置であればよい。つまり、このような場合であっても第一位置における第一間隔は、第二位置における第二間隔よりも小さい。この場合に、さらに、第一位置とは別の位置である端子本体３３１における接続部３３２から最も遠い位置における端子本体３３１と容器３１０の蓋部３１１との間隔が、第二位置とは別の位置である端子本体３３１における接続部３３２に最も近い位置における端子本体３３１と容器３１０の蓋部３１１との間隔よりも小さい構成としてもよい。
【００６５】
また、端子本体３３１と容器３１０の蓋部３１１との間隔とは、本実施の形態２では、端子本体３３１の下面と、蓋部３１１の上面（当該上面と一致している平面全て）との間の間隔である。
【００６６】
また、端子本体３３１は、第二位置Ｐ２から第一位置Ｐ１に向かうにしたがって、端子本体３３１と容器３１０の蓋部３１１との間隔が小さくなるように形成されている。より具体的には、端子本体３３１は、第一位置Ｐ１と第二位置Ｐ２との間において、端子本体３３１の容器３１０の蓋部３１１側の面３３１ａが、容器３１０の端子本体３３１側の面３１１ａ（つまり上面）に対して直線状に傾斜している。
【００６７】
また、外部絶縁封止材３２０の端子本体３３１側の面３２１ａは、端子本体３３１の容器３１０の蓋部３１１側の面３３１ａに対応した傾斜を有する。そして、外部絶縁封止材３２０には、実施の形態１の外部絶縁封止材１２０に形成されている凸部１２５と同様に、図７には現れていないが凸部３２５が形成されている。なお、実施の形態２に係る蓄電素子３００においても、実施の形態１に係る蓄電素子１００と同様に、図７の（ｂ）の破線で囲んだ部分に示すように、外部絶縁封止材３２０の板状部材３２１に形成された凸部３２５は、電極端子３３０および蓋部３１１により圧縮されるため、つぶれた状態となる。そして、凸部３２５は、電極端子３３０および蓋部３１１によりつぶされても、反発して突出している方向に戻ろうとする力（図７（ｂ）の白抜き矢印参照）が働く。
【００６８】
また、容器３１０の蓋部３１１は、接続部３３２と対向する部分（つまり、貫通孔３１３が形成されている部分）において、第三間隔ｄ３が、第四間隔ｄ４よりも小さくなるように形成されている。なお、第三間隔ｄ３は、容器３１０の蓋部３１１の第三位置Ｐ３における接続部３３２と容器３１０の蓋部３１１との間隔である。また、第四間隔ｄ４は、第三位置Ｐ３よりも容器３１０の蓋部３１１の外方側にある第四位置Ｐ４における接続部３３２と容器との間隔である。つまり、容器３１０の蓋部３１１に形成される貫通孔３１３は、容器３１０の内方に向かうにしたがってその直径が小さくなるように形成されている。
【００６９】
なお、本実施の形態２において、第三位置Ｐ３は、容器３１０の蓋部３１１上の位置であって、容器３１０の蓋部３１１の最も外方側の位置である。また、本実施の形態２において、第四位置Ｐ４は、容器３１０の蓋部３１１上の位置であって、容器３１０の蓋部３１１の最も内方側の位置である。なお、第三位置と第四位置とは、それぞれ、上記のように容器３１０の蓋部３１１の最外方の位置、最内方の位置に限らずに、第三位置が第四位置よりも外側の位置であればよい。
【００７０】
また、容器３１０の蓋部３１１は、第四位置Ｐ４から第三位置Ｐ３に向かうにしたがって、接続部３３２と容器３１０の蓋部３１１との間隔が小さくなるように形成されている。より具体的には、容器３１０の蓋部３１１は、第三位置Ｐ３と第四位置Ｐ４との間において、容器３１０の蓋部３１１の接続部３３２に対向している面３１１ｂが、接続部３３２の表面３３２ａに対して直線状に傾斜している。
【００７１】
（特徴）
本実施の形態２に係る蓄電素子３００によれば、端子本体３３１の形状は、第一位置Ｐ１における端子本体３３１と容器３１０の蓋部３１１との第一間隔ｄ１が、第一位置Ｐ１よりも接続部３３２に近い第二位置Ｐ２における端子本体３３１と容器３１０の蓋部３１１との第二間隔ｄ２よりも小さい。外部絶縁封止材３２０は、端子本体３３１と容器３１０とにより挟み込まれており、両者から押圧力を受ける。つまり、外部絶縁封止材３２０が配置される空間は、当該押圧力の方向と交差する方向において、電極端子３３０の接続部３３２から遠い方の位置である第一位置Ｐ１における端子本体３３１と容器３１０の蓋部３１１との間隔が狭くなっている。このため、高温環境下において外部絶縁封止材３２０が熱膨張したとしても、外部絶縁封止材３２０が押圧力の方向と交差する方向に向かって膨張することを抑制できる。これにより、外部絶縁封止材３２０が熱膨張しても所定の範囲内に外部絶縁封止材３２０を留めておくことができるため、電極端子３３０付近のシール性を十分に維持することができる。つまり、実施の形態２に係る蓄電素子３００では、外部絶縁封止材３２０に形成された凸部３２５の効果もさらに有するため、電極端子３３０付近のシール性を十分に向上させることができる。
【００７２】
また、本実施の形態に係る蓄電素子３００によれば、外部絶縁封止材３２０は、端子本体３３１および容器３１０の蓋部３１１の間に渡って配置される。また、外部絶縁封止材３２０は、接続部３３２および容器３１０の蓋部３１１の間に渡って配置される。つまり、外部絶縁封止材３２０は、電極端子３３０（端子本体３３１および接続部３３２）および容器３１０の蓋部３１１の間に隙間なく充填されている。このため、電極端子３３０付近のシール性を向上させることができる。また、外部絶縁封止材３２０は、電極端子３３０および容器３１０の蓋部３１１の間に隙間無く充填されているため、熱膨張したときに押圧力の方向と交差する方向に膨張しやすい。しかしながら、外部絶縁封止材３２０が配置される空間は、当該押圧力の方向と交差する方向において、電極端子３３０の端子本体３３１および接続部３３２から遠ざかるほど端子本体３３１と容器３１０の蓋部３１１との間隔および接続部３３２と容器３１０の蓋部３１１との間隔が狭くなっているため、外部絶縁封止材３２０が押圧力の方向と交差する方向に向かって膨張することを抑制できる。
【００７３】
また、本実施の形態に係る蓄電素子３００によれば、端子本体３３１は、第一位置Ｐ１と第二位置Ｐ２との間において接続部３３２から遠ざかるにしたがって、端子本体３３１と容器３１０の蓋部３１１との間隔が小さくなるように形成されている。このため、外部絶縁封止材３２０の熱膨張時に、外部絶縁封止材３２０が押圧力の方向に交差する方向に対して膨張するときに、第一位置Ｐ１と第二位置Ｐ２との間における外部絶縁封止材３２０に対して加わる力を分散させることができる。なお、この力は、具体的には、外部絶縁封止材３２０が接続部３３２よりも遠い方向に向かって膨張することを防ぐ力であって、接続部３３２に近い方向に向けた力である。これにより、端子本体３３１と容器３１０の蓋部３１１との間の間隔が急激に小さくなる構造のものと比較すると、端子本体３３１、容器３１０の蓋部３１１、または外部絶縁封止材３２０の特定の部位に力が大きな加えられることを防ぐことができ、端子本体３３１、容器３１０の蓋部３１１、または外部絶縁封止材３２０が破損することを防ぐことができる。
【００７４】
また、本実施の形態に係る蓄電素子３００によれば、端子本体３３１の容器３１０の蓋部３１１側の面３３１ａが、容器３１０の蓋部３１１の端子本体３３１側の面３１１ａに対して直線状に傾斜している。このため、外部絶縁封止材３２０の熱膨張時に、外部絶縁封止材３２０が押圧力の方向に交差する方向に対して膨張するときに、第一位置Ｐ１と第二位置Ｐ２との間の外部絶縁封止材３２０に対して、接続部３３２に近い方向に向けた力を少なくとも第一位置Ｐ１と第二位置Ｐ２との間において均等にさせることができる。このように、第一位置Ｐ１と第二位置Ｐ２との間においては、端子本体３３１、容器３１０の蓋部３１１、または外部絶縁封止材１２０に加わる力を均等にできるため、それぞれの位置において加わる力を最低限とすることができる。このため、端子本体３３１、容器３１０の蓋部３１１、または外部絶縁封止材３２０が破損することをより効果的に防ぐことができる。
【００７５】
また、本実施の形態に係る蓄電素子３００によれば、容器３１０の蓋部３１１の形状は、第三位置Ｐ３における接続部３３２と容器３１０の蓋部３１１との第三間隔ｄ３が、第三位置Ｐ３よりも容器３１０の蓋部３１１の外方側にある第四位置Ｐ４における接続部３３２と容器３１０の蓋部３１１との第四間隔ｄ４よりも小さい。外部絶縁封止材３２０は、接続部３３２と容器３１０の蓋部３１１とにより挟み込まれており、熱膨張したときに外部絶縁封止材３２０は押圧力の方向に交差する方向に膨張しようとする。このとき、容器３１０の蓋部３１１の内方側の位置である第三位置Ｐ３での第三間隔ｄ３が第四間隔ｄ４よりも狭いため、外部絶縁封止材３２０が熱膨張したとしても、外部絶縁封止材３２０が容器３１０の蓋部３１１の内方側に膨張することを抑制できる。これにより、外部絶縁封止材３２０が熱膨張したときに、接続部３３２の軸方向においても所定の範囲内に外部絶縁封止材３２０を留めておくことができるため、電極端子３３０付近のシール性を十分に維持することができる。
【００７６】
また、本実施の形態に係る蓄電素子３００によれば、容器３１０の蓋部３１１は、第三位置Ｐ３と第四位置Ｐ４との間において端子本体３３１から遠ざかるにしたがって、接続部３３２と容器３１０の蓋部３１１との間隔が小さくなるように形成されている。このため、外部絶縁封止材３２０の熱膨張時に、外部絶縁封止材３２０が押圧力の方向に交差する方向に対して膨張するときに、第三位置Ｐ３と第四位置Ｐ４との間における外部絶縁封止材３２０に対して加わる力を分散させることができる。なお、この力は、具体的には、外部絶縁封止材３２０が容器３１０の内方に向かって膨張することを防ぐ力であって、端子本体３３１に近い方向に向けた力である。これにより、接続部３３２と容器３１０の蓋部３１１との間の間隔が急激に小さくなる構造のものと比較すると、端子本体３３１、容器３１０の蓋部３１１、または外部絶縁封止材３２０の特定の部位に力が大きな加えられることを防ぐことができ、端子本体３３１、容器３１０の蓋部３１１、または外部絶縁封止材３２０が破損することを防ぐことができる。
【００７７】
また、本実施の形態に係る蓄電素子３００によれば、容器３１０の蓋部３１１の接続部３３２側の面３１１ｂが、接続部３３２の表面３３２ａに対して直線状に傾斜している。このため、外部絶縁封止材３２０の熱膨張時に、外部絶縁封止材３２０が押圧力の方向に交差する方向に対して膨張するときに、第三位置Ｐ３と第四位置Ｐ４との間の外部絶縁封止材３２０に対して、接続部３３２に近い方向に向けた力を少なくとも第三位置Ｐ３と第四位置Ｐ４との間において均等にさせることができる。このように、第三位置Ｐ３と第四位置Ｐ４との間においては、端子本体３３１、容器３１０の蓋部３１１、または外部絶縁封止材３２０に加わる力を均等にできるため、それぞれの位置において加わる力を最低限とすることができる。このため、端子本体３３１、容器３１０の蓋部３１１、または外部絶縁封止材３２０が破損することを防ぐことができる。
【００７８】
また、本実施の形態に係る蓄電素子３００によれば、外部絶縁封止材３２０および容器３１０の蓋部３１１は電極端子３３０により圧着されることにより、容器３１０の蓋部３１１の貫通孔３１３が形成される部分と端子本体３３１との間が外部絶縁封止材３２０で密閉されている。このため、外部絶縁封止材３２０は、電極端子３３０により端子本体３３１と容器３１０の蓋部３１１との間で常に押圧力が加えられた状態である。このような常に押圧力が加えられ、熱膨張したときに押圧力に交差する方向に膨張しやすいような状態の外部絶縁封止材３２０であっても、押圧力に交差する方向の先の空間が狭くなっているため、外部絶縁封止材３２０の当該方向への膨張を抑制することができる。
【００７９】
（変形例）
（１）
上記実施の形態２に係る蓄電素子３００によれば、端子本体３３１は、第一位置Ｐ１と第二位置Ｐ２との間において、端子本体３３１の容器３１０の蓋部３１１側の面３３１ａが容器３１０の蓋部３１１の端子本体３３１側の面３１１ａに対して直線状に傾斜しているが、直線状に傾斜することに限らない。例えば、端子本体を、第一位置を含む第一領域における第一間隔と、第二位置を含む第二領域における第二間隔とが段階的に異なるように形成してもよい。また、端子本体を、端子本体と容器の蓋部との間隔が徐々に小さくなるように形成してもよい。つまり、端子本体は、端子本体と容器の蓋部との間隔が第二位置から第一位置に向かうにしたがって単調減少していればよい。
【００８０】
（２）
また、上記実施の形態２に係る蓄電素子３００によれば、容器３１０の蓋部３１１は、接続部３３２と対向する部分において、容器３１０の蓋部３１１の第三位置Ｐ３における接続部３３２と容器３１０の蓋部３１１との第三間隔ｄ３が、第三位置Ｐ３よりも容器３１０の蓋部３１１の外方側にある第四位置Ｐ４における接続部３３２と容器３１０の蓋部３１１との第四間隔ｄ４よりも小さくなるように形成されているが、これに限らない。つまり、第三位置における接続部と容器の蓋部との第三間隔と、第三位置よりも容器の蓋部の外方側にある第四位置における接続部と容器の蓋部との第四間隔とが等しい形状であってもよい。要するに、容器の蓋部に形成される貫通孔を、容器の内方側の位置であっても外方側の位置であっても等しい直径となるように形成してもよい。
【００８１】
（３）
また、上記実施の形態に係る蓄電素子３００および上記の各変形例によれば、端子本体３３１の形状（具体的には、厚み）が、第一位置Ｐ１と第二位置Ｐ２との間で異なることにより、第一間隔ｄ１と第二間隔ｄ２とが異なるように形成されているが、これに限らない。例えば、容器の蓋部の形状が、第二位置から第一位置に向かうにしたがって、端子本体に近づくような形状としてもよい。
【産業上の利用可能性】
【００８２】
本発明は、蓄電素子の電極端子付近のシール性を向上させることができる蓄電素子等として有用である。
【符号の説明】
【００８３】
１００、３００  蓄電素子
１１０、３１０  容器
１１１、３１１  蓋部
１１２  容器本体
１１３、３１３  貫通孔
１１４  開口部
１２０、２２０、３２０  外部絶縁封止材
１２１、２２１、３２１  板状部材
１２２  枠体
１２３  筒部
１２４  貫通孔
１２５、２２５、３２５  凸部
１２５ａ  溝部
１３０、３３０  電極端子
１３１、３３１  端子本体
１３２、３３２  接続部
１３３  かしめ端
１５０  内部絶縁封止材
１５１  貫通孔
１６０、１６４  集電部材
１６１  板部
１６２  貫通孔
１６３  腕部
１７０  電極体
１７１、１７２  突出部
１８０  シール剤
２２５ａ  突起部
３１１ａ  面
３１１ｂ  面
３２１ａ  面
３３１ａ  面
３３２ａ  表面
【図１】
0006015582.tif 000002
【図２】
0006015582.tif 000003
【図３】
0006015582.tif 000004
【図４】
0006015582.tif 000005
【図５】
0006015582.tif 000006
【図６】
0006015582.tif 000007
【図７】
0006015582.tif 000008